(57)【要約】【課題】光電センサ用光ファイバの光軸のずれを防止して固定し、光ファイバの太さが異なっても対応する光ファイバ固定装置を提供する。【解決手段】円筒形状をなし全長に亘りスリット１３ｂが形成され該スリットの両側略中央位置にすぼめ部１４ｃが突出形成された一対のファイバ止め部材からなり、各すぼめ部が対向配置され各後部が夫々挿通孔に嵌挿されて支持され、各すぼめ部により夫々均等にすぼめられて挿通された投光ファイバと受光ファイバを固定し、ホルダ１２の前面に前後に揺動可能に取付けられ前側位置で一対のファイバ止め部材１４の対向するすぼめ部との係合が解除され、後側位置で対向するすぼめ部と係合して同時に均等にすぼめるすぼめ部材１５と、ホルダに回動可能に取付けられ止め部材と係合して前側位置又は後側位置に揺動させる操作部材１７とを備える。【選択図】図１
2008020503.tif 000002
【特許請求の範囲】
【請求項１】
投光部と受光部を並べて収容したホルダの前面に前記投光部と受光部のそれぞれと対向して形成された挿通孔に投光ファイバと受光ファイバをそれぞれ挿通させて固定する光ファイバ固定装置であって、
円筒形状をなし全長に亘りスリットが形成され該スリットの両側略中央位置にすぼめ部が突出して形成された一対のファイバ止め部材からなり、各すぼめ部が対向して配置され各後部がそれぞれ前記挿通孔に嵌挿されて支持され、前記各すぼめ部によりそれぞれ均等にすぼめられて挿通された前記投光ファイバと受光ファイバを固定し、
前記ホルダの前面に前後に揺動可能に取り付けられ前側位置において前記一対のファイバ止め部材の対向するすぼめ部との係合が解除され、後側位置において前記対向するすぼめ部と係合して同時に均等にすぼめるすぼめ部材と、
前記ホルダに回動可能に取り付けられ前記止め部材と係合して前記前側位置又は後側位置に揺動させる操作部材とを備えたことを特徴とする光ファイバ固定装置。
【発明の詳細な説明】
【技術分野】
【０００１】
本発明は、光電センサに接続する光ファイバを固定する光ファイバ固定装置に関する。
【背景技術】
【０００２】
光ファイバ同士や光電センサの投光部及び受光部と投光ファイバ及び受光ファイバとを接続する場合、両者の光軸を正確に一致させた状態でこれらを固定することが必要である。光ファイバ固定装置として外部から操作されて一対の回転軸を中心に回動する操作部と、投光ファイバ及び受光ファイバが挿通される各挿通孔を形成すると共に前記操作部の回動により投光ファイバ及び受光ファイバを夫々締め付けて固定する締付部と、一対の回転軸の軸受け部を形成すると共に前記投光ファイバ及び受光ファイバの締付状態において前記操作部と締付部との間に作用する締付反力を受ける支持フレームとを備えた構成のものがある（例えば、特許文献１参照。）。
【０００３】
或いは、図１３に示すようにホルダ１に投光部２と受光部３が上下に並んで収容され、ホルダ１の前面に投光部２、受光部３と対応して上下に並んで光ファイバ挿通孔１ａ，１ｂが形成され、これらの前端部に形成されたファイバ受け部１ｃ，１ｄと、ホルダ１の前部にファイバ受け部１ｃ，１ｄを一体に囲繞するように配置されたファイバ止め部材４のクランプ部４ａ，４ｂとの間に２点鎖線で示すように投光ファイバ６、受光ファイバ７の端末を挿入して投光部２、受光部３に接続し、ホルダ１に設けられたレバー５を矢印方向に回動させてファイバ止め部材４を押し下げてクランプ部４ａ，４ｂを投光ファイバ６、受光ファイバ７に押し付けファイバ受け部１ｃ，１ｄとクランプ部４ａ，４ｂとによりこれらの投光ファイバ６、受光ファイバ７を固定する構造の光ファイバ固定装置もある。
【特許文献１】特開平９−３０４６５３号公報（２−３頁、図３）
【発明の開示】
【発明が解決しようとする課題】
【０００４】
しかしながら、前記特許文献１に開示されている光ファイバ固定装置は、締付部の基準面が下側に位置しているために締付部が操作部により上から押し付けられて縮径されると投光ファイバ及び受光ファイバの中心が締付部の挿通孔の中心から下方にずれて投光素子及び受光素子の光軸の中心に正確に一致させることができなくなる。投光ファイバ、受光ファイバの太さが締付部の挿通孔よりも僅かに細い場合でも光軸のずれが大きくなり使用することが出来ない。
【０００５】
また、図１３に示す構造の光ファイバ固定装置は、製造誤差等によりファイバ受け部１ｃ，１ｄ間のピッチＰ１とファイバ止め部材４のクランプ部４ａ，４ｂ間のピッチＰ２がずれると（Ｐ１≠Ｐ２）、投光ファイバ６のクランプ力と受光ファイバ７のクランプ力にばら付きが生じ、しかも、基準面としてのファイバ受け部１ｃ，１ｄが下側に位置しており、投光ファイバ６、受光ファイバ７がファイバ止め部材４のクランプ部４ａ，４ｂにより上から押し付けられるためにこれらの投光ファイバ６、受光ファイバ７の中心が下方にずれて投光部２、受光部３の光軸中心に正確に一致させることができなくなる。また、光ファイバの径が僅かに細い場合でも使用することが出来なくなる。
【０００６】
本発明の目的は、光電センサに接続する光ファイバの光軸のずれを防止して固定すると共に光ファイバの太さが異なる場合でも対応することが可能な汎用性のある光ファイバ固定装置を提供することにある。
【課題を解決するための手段】
【０００７】
上述した課題を解決するために、本発明に係わる光ファイバ固定装置は、投光部と受光部を並べて収容したホルダの前面に前記投光部と受光部のそれぞれと対向して形成された挿通孔に投光ファイバと受光ファイバをそれぞれ挿通させて固定する光ファイバ固定装置であって、円筒形状をなし全長に亘りスリットが形成され該スリットの両側略中央位置にすぼめ部が突出して形成された一対のファイバ止め部材からなり、各すぼめ部が対向して配置され各後部がそれぞれ前記挿通孔に嵌挿されて支持され、前記各すぼめ部によりそれぞれ均等にすぼめられて挿通された前記投光ファイバと受光ファイバを固定し、前記ホルダの前面に前後に揺動可能に取り付けられ前側位置において前記一対のファイバ止め部材の対向するすぼめ部との係合が解除され、後側位置において前記対向するすぼめ部と係合して同時に均等にすぼめるすぼめ部材と、前記ホルダに回動可能に取り付けられ前記止め部材と係合して前記前側位置又は後側位置に揺動させる操作部材とを備えたことを特徴としている。
【０００８】
操作部材によりすぼめ部材がホルダの前側位置に揺動されると一対のファイバ止め部材の対向するすぼめ部との係合が解除されてこれらのファイバ止め部材に投光ファイバと受光ファイバの挿通が可能となる。投光ファイバと受光ファイバを挿通した後操作部材によりすぼめ部材が後側位置に揺動されると一対のファイバ止め部材の対向するすぼめ部と係合し、これらのすぼめ部を均等にすぼめて投光ファイバと受光ファイバの全周を均等に締め付けて固定する。これにより、投光ファイバと受光ファイバの光軸とホルダの各挿通孔の中心軸とのずれが防止され、投光ファイバと受光ファイバを投光部と受光部に正確に接続することが可能となる。
【０００９】
好ましくは、本発明の光ファイバ固定装置は、前記ファイバ止め部材が、スリットの両側略中央位置に対向して一対のすぼめ部がスリットの開口方向に突出して形成され、前記スリットの開口部及びすぼめ部は前記光ファイバの挿入方向から見て外側に向かってテーパ状をなして拡開しかつ前記すぼめ部の前部が前記スリットの開口方向から見てテーパ状に先細りして形成され、前記すぼめ部材によりすぼめられるのが良い。
【００１０】
ファイバ止め部材は、スリットの開口部の両側に光ファイバの挿入方向から見て外側に向かってテーパ状をなして拡開している一対のすぼめ部をすぼめ部材により挟み込むことによりすぼめられる。また、すぼめ部は、前部がスリットの開口方向から見てテーパ状に先細りしていることによりすぼめ部材が前側からすぼめ部を容易に挟んで係合することができる。
【００１１】
また、好ましくは、本発明の光ファイバ固定装置は、前記すぼめ部材が、両側部の略中央に両端がこれらに連設して形成された軸部が前記ホルダの前面に形成された支持部に回動可能に支持され、前記両側部の一端に前記ファイバ止め部材の対向する一対のすぼめ部を挟み込んで均等にすぼめる挟み部が形成され、前記両側部の他端が前記操作部材に係合されて前後に揺動可能とされているのが良い。
【００１２】
すぼめ部材は、操作部が操作されるとホルダ前面に形成された支持部に支持されている軸部が回動軸とされて前後に揺動され、下端が前側位置に揺動されると挟み部がファイバ止め部材のすぼめ部との係合を解除されて光ファイバの挿通が可能となり、下端が後側位置に揺動されると挟み部がファイバ止め部材の対向する一対のすぼめ部を挟んでファイバ止め部材を均等にすぼめて光ファイバの全周を均等に締め付けて固定する。
【００１３】
また、好ましくは、本発明の光ファイバ固定装置は、前記すぼめ部材の他端は両端が両側部に連設された軸部とされ前記操作部材に形成された切欠に回動可能に係合されているのが良い。
【００１４】
すぼめ部材の両側部の他端を軸部により連設し、この軸部を操作部材に形成された切欠に係合させて操作部材により軸部を前後に移動させてすぼめ部材を前後に揺動させる。すぼめ部材と操作部は、軸部と切欠とにより係合することで、構造が簡単でありかつ組付が容易である。
【００１５】
また、好ましくは、本発明の光ファイバ固定装置は、前記操作部材が、前記ホルダから起こされた位置において前記すぼめ部材を前側位置に揺動させ、ホルダ側に倒された位置において前記すぼめ部材を後側位置に揺動させるようになっているのが良い。
【００１６】
操作部材をホルダから起こすとすぼめ部材が前側位置に揺動してファイバ止め部材のすぼめ部との係合が解除されて光ファイバの挿通が可能となり、ホルダ側に倒すとすぼめ部材が後側位置に揺動してファイバ止め部材のすぼめ部と係合してすぼめ部がすぼめられて光ファイバを固定する。操作部材は、ホルダ側に倒された位置において光ファイバを固定することにより他の部材と干渉することが少なくなり、光ファイバが逸脱し難くなる。
【発明の効果】
【００１７】
本発明によると、光電センサに接続する光ファイバを挿通させるファイバ止め部材を均等にすぼめることにより光ファイバを全周に亘り均等に締め付けて固定することができ、光ファイバを中心がずれることなく光電センサに接続することが可能となる。また、光ファイバの太さが変わっても光軸がずれることなく固定することが可能であり、汎用性を有する光ファイバの固定装置を構成することができる。
【発明を実施するための最良の形態】
【００１８】
以下、本発明の一実施形態に係わる光ファイバ固定装置について図面に基づいて説明する。図１に示すように光ファイバ固定装置１１は、光電センサを構成する投光部及び受光部を収容するホルダ１２、ホルダ１２に装着され前記投光部、受光部に接続する投光ファイバ６、受光ファイバ７を挿通させてすぼめられて（縮径されて）固定するファイバ止め部材（クランプ部材）１３，１４、ファイバ止め部材１３，１４に投光ファイバ６、受光ファイバ７を挿通又は引き抜き可能かつ挿通した光ファイバを固定するすぼめ部材１５、ホルダ１２に固定されてすぼめ部材１５を支持する支持部材１６、支持部材１６に回動自在に軸支されすぼめ部材１５を光ファイバの着脱位置又は固定位置に回動させる操作部材としてのレバー１７、及びホルダ１２に外装されるフレーム１８等により構成されている。
【００１９】
ホルダ１２は、上下方向に投光部と受光部が収容されており前面１２ａの前記投光部、受光部と対応する位置にファイバ止め部材１３，１４の後部を嵌挿させるための挿通孔１２ｂ，１２ｃが形成されている。これらの挿通孔１２ｂ，１２ｃの中心軸は、前記投光部、受光部の光軸と一致している。挿通孔１２ｂの内面の下側面（真下の面）１２ｂ’及び挿通孔１２ｃの内面の上側面（真上の面）１２ｃ’は、軸方向に沿って全長に亘り水平な平面とされている（以下「平面部１２ｂ’，１２ｃ’」という）。これらの平面部１２ｂ’，１２ｃ’は、ファイバ止め部材１３，１４を正確に位置決めして挿入するためのものである。
【００２０】
挿通孔１２ｃの直ぐ上側に支持部１２ｄが側方から見て略Ｌ字形状をなし上方に開口するように形成されている。支持部１２ｄの幅は、挿通孔１２ｃの穴径と略同じ幅に設定されている（図８参照）。この支持部１２ｄは、すぼめ部材１５の軸部１５ｅを支持する軸受とされる。ホルダ１２の支持部１２ｄの上部にレバー１７が回動する際に干渉しないように凹部１２ｅが形成されている。
【００２１】
図１乃至図４に示すようにファイバ止め部材１３は、ホルダ１２の挿通孔１２ｂに嵌挿可能な円筒形状をなし、周壁部１３ａの下側面（真下の面）１３ａ’は、挿入孔１２ｂの平面部１２ｂ’と対応する平面部とされている（以下「平面部１３ａ’」という）。周壁部１３ａの真上位置に長手方向に沿って全長に亘り所定幅のスリット１３ｂが形成され、スリット１３ｂの両側かつ略中央位置に一対のすぼめ部１３ｃが対向してスリット１３ｂの開口方向（上方）に突出して形成されている。
【００２２】
図２に示すようにスリット１３ｂの開口部及びすぼめ部１３ｃは、光ファイバの挿入方向（前方）から見て外側に向かって僅かにテーパ状をなして拡開し、更に図４に示すようにすぼめ部１３ｃの前部１３ｄがスリットの開口方向（上方）から見てテーパ状に先細りに形成されている。すぼめ部１３ｃの高さは、図１に示すホルダ１２の挿入孔１２ｂと挿通孔１２ｃとの間隔の半分よりも僅かに低く設定されている。尚、スリット１３ｂの開口部及びすぼめ部１３ｃは、光ファイバの挿入方向（前方）から見て平行であっても良いが、僅かにテーパ状に拡開させた方がすぼめやすくなると共に、すぼめる範囲（縮径範囲）も広くなり好ましい。
【００２３】
図３に示すようにファイバ止め部材１３の光ファイバ挿入側開口端面１３ｅは面取されており、２点鎖線で示す投光ファイバ６の端末が容易に挿入可能とされている。また、ファイバ止め部材１３の後端面からすぼめ部１３ｃの後端面までの後部１３ｆの長さは、挿入孔１２ｂの深さと同じ長さとされている。ファイバ止め部材１４は、ファイバ止め部材１３と同一の形状に形成されており共通して使用可能とされている。尚、ファイバ止め部材１４のファイバ止め部材１３の各部位と対応する各部位には対応する符号を付してある。
【００２４】
図１及び図５に示すようにすぼめ部材１５は、両側部１５ａが略中央部で段差をなして形成され、上側の両側部１５ｂが下側の両側部１５ｃよりも略板厚程度幅狭とされている。下側の両側部１５ｃの間隔（内法）は、図１に示すホルダ１２の支持部１２ｄの幅よりも僅かに広く設定されている。
【００２５】
上側の両側部１５ｂの上端は、軸部１５ｄにより連設されており、下側の両側部１５ｃの上端（上側の両側部１５ｂの下端との連設部）は、軸部１５ｅにより連設されている。そして、上側の軸部１５ｄは、レバー１７と回動自在に係合され、下側の軸部１５ｅは、ホルダ１２の支持部１２ｄに回動自在に支持される。また、図１に示すように下側の両側部１５ｃの上面１５ｃ’は、半円状に面取されて曲面をなしている。
【００２６】
下側の両側部１５ｃの下端部には挟み部１５ｆが内側に突出しかつ対向して形成されている。これらの挟み部１５ｆの対向する端面の間隔ｄは、図２に示すファイバ止め部材１３の対向する一対のすぼめ部１３ｃの外側面の間隔（外法）Ｄよりも狭く（ｄ＜Ｄ）設定されている。また、挟み部１５ｆの高さは、ホルダ１２の挿通孔１２ｂ，１２ｃに嵌挿されるファイバ止め部材１３，１４の上下に対向するすぼめ部１３ｃ，１４ｃを同時にかつ十分に挟んでこれらをすぼめることが可能な高さに設定されている（図１１参照）。
【００２７】
図１に示すように支持部材１６は、ホルダ１２の上部に装着されてすぼめ部材１５及びレバー１７を支持するもので、両側部１６ａがすぼめ部材１５の上側の両側部１５ｂを回動可能に収容する間隔を存して対向し、後部が連設されて形成されている。図１及び図６に示すように両側部１６ａの前部１６ａ’の上部位置に軸穴１６ｂと、該軸穴１６ｂの下方位置の下面に開口する切欠１６ｃが形成されている。軸穴１６ｂは、ホルダ１２の支持部１２ｄの真上に位置している。切欠１６ｃは、すぼめ部材１５の側部１５ｃの上面１５ｃ’を上側から回動可能にかつ逸脱しないように押さえるためのものである。
【００２８】
図１に示すようにレバー１７は、係止部１７ａが垂直な板状をなし支持部材１６の両側部１６ａの間かつすぼめ部材１５の上側の両側部１５ｂ間に回動自在に収容可能とされている。そして、係止部１７ａの略中央位置に軸１７ｂが両側に突出して形成されており、軸１７ｂの真下に下面に開口する切欠１７ｃが形成されている。軸１７ｂは、支持部材１６の軸穴１６ｂに回動自在に嵌合され、切欠１７ｃは、すぼめ部材１５の軸部１５ｄが回動可能に係合される。摘み部１７ｄは、係止部１７ａの後端上部に後方に水平に延出して形成されている。
【００２９】
図１に示すようにフレーム１８は、例えば金属部材により上方から見て角形のＵ字状に形成され前面１８ａにホルダ１２の挿通孔１２ｂ，１２ｃと対応して挿通孔１８ｂ，１８ｃが形成されている。このフレーム１８は、前面１８ａ及び両側部１８ｄがホルダ１２の前面１２ａ及び両側面を覆うように外装される。
【００３０】
これらのホルダ１２、ファイバ止め部材１３，１４、すぼめ部材１５、支持部材１６、レバー１７等は、例えば樹脂部材により形成されている。ファイバ止め部材１３，１４は、樹脂部材により形成されていることで、両側のすぼめ部１３ｃ，１４ｃを両側から挟み込むことによりすぼめられて縮径可能とされ、光ファイバの全周を均等に締め付けて固定することが可能となる。また、フレーム１８は、樹脂部材により形成しても良く、或いは金属部材により形成しても良い。
【００３１】
図１においてファイバ止め部材１３は、すぼめ部１３ｃが上方（真上）に位置して後部１３ｆをホルダ１２の挿通孔１２ｂにすぼめ部１３ｃの後端面が前面１２ａに当接係止されるまで嵌挿される。ファイバ止め部材１４は、すぼめ部１４ｃが下方（真下）に位置してファイバ止め部材１３と同様にホルダ１２の挿通孔１２ｃに嵌挿される。
【００３２】
そして、これらのファイバ止め部材１３，１４は、平面部１３ａ’，１４ａ’が挿通孔１２ｂ，１２ｃの平面部１２ｂ’，１２ｃ’に当接して嵌挿される。これにより、ファイバ止め部材１３，１４が正確に位置決めされてホルダ１２の挿通孔１２ｂ，１２ｃに嵌挿支持されかつすぼめ部１３ｃと１４ｃが僅かな間隔を存して上下に対向して配置される（図８参照）。
【００３３】
また、図７及び図８に示すようにすぼめ部材１５は、両側部１５ｃの間にファイバ止め部材１４を通すようにしてホルダ１２に取り付けられ、図６に示すように軸部１５ｅが支持部１２ｄに載置されて回動自在に支持される。レバー１７は、係止部１７ａが支持部材１６の両側部１６ａの間に収容され、両側の軸１７ｂが両側の軸穴１６ｂに回動自在に軸支される。
【００３４】
レバー１７が取り付けられた支持部材１６は、図６に示すようにホルダ１２に装着固定されレバー１７の係止部１７ａの切欠１７ｃにすぼめ部材１５の軸部１５ｄが回動可能に係合される。そして、支持部材１６の両側部１６ａの切欠１６ｃがすぼめ部材１５の両側部１５ｃの上面１５ｃ’の上側に配置される。これにより、すぼめ部材１５がホルダ１２に前後に揺動可能かつ逸脱不能に保持される。このようにして、光ファイバ固定装置１１が構成されている。
【００３５】
以下に上記構成の光ファイバ固定装置１１に光ファイバを固定する場合について説明する。図７乃至図９に示すようにレバー１７の摘み部１７ｄを矢印方向に起こすと図９に示すようにレバー１７が軸１７ｂを支点として回動し、切欠１７ｃがすぼめ部材１５の軸部１５ｄを図中右方に押動する。これに伴いすぼめ部材１５が軸部１５ｅを支点として回動し、両側部１５ｃの挟み部１５ｆがファイバ止め部材１３，１４のすぼめ部１３ｃ，１４ｃの前方に移動してこれらのすぼめ部１３ｃ，１４ｃから離隔する。この状態においてファイバ止め部材１３，１４に投光ファイバ６、受光ファイバ７を挿入することが可能となる。
【００３６】
次に、図１０乃至図１２に示すようにファイバ止め部材１３，１４に投光ファイバ６、受光ファイバ７の端末を挿入して前記投光部、受光部に接続し、レバー１７の摘み部１７ｄを矢印方向に倒して支持部材１６の両側部１６ａの上面に当接させる。レバー１７は、摘み部１７ｄが倒されると図１２に示すように回動してすぼめ部材１５の軸部１５ｄを図中左方に押動する。
【００３７】
これに伴いすぼめ部材１５が軸部１５ｅを支点として回動して両側部１５ｃの挟み部１５ｆがファイバ止め部材１３，１４のすぼめ部１３ｃ，１４ｃの前方から後方に移動してこれらのすぼめ部１３ｃ，１４ｃを挟み込む。すぼめ部１３ｃ，１４ｃは、前部１３ｄ，１４ｄがテーパ状に先細りに形成されていることで挟み部１５ｆがこれらのすぼめ部１３ｃ，１４ｃを容易に挟み込むことが可能となる。そして、すぼめ部材１５の両側部１５ｃの後端面がホルダ１２の前面１２ａに当接した位置で挟み部１５ｆがすぼめ部１３ｃ，１４ｃを完全に挟み込んで固定する。
【００３８】
そして、ファイバ止め部材１３，１４が同時にすぼめられて（縮径されて）投光ファイバ６、受光ファイバ７を略全周に亘り均等に締め付けて固定する。ファイバ止め部材１３，１４は、投光ファイバ６、受光ファイバ７を略全周に亘り均等に締め付けることによりこれらの投光ファイバ６、受光ファイバ７の中心（光軸）が挿通孔１２ｂ，１２ｃの中心軸と一致し、前記投光部及び受光部に正確に接続することが可能となる。また、投光ファイバ６、受光ファイバ７の太さが変わった場合でも前記投光部及び受光部と光軸を一致させて固定することが可能となり、汎用性を有する光ファイバの固定装置を構成することができる。
【００３９】
投光ファイバ６、受光ファイバ７を取り外す場合には図８に示すようにレバー１７の摘み部１７ｄを起こすことによりすぼめ部材１５の挟み部１５ｆがファイバ止め部材１３，１４のすぼめ部１３ｃ，１４ｃの前部１３ｄ，１４ｄから外れて係合が解除され、これらのファイバ止め部材１３，１４が元の状態に拡径して投光ファイバ６、受光ファイバ７を引き抜くことが可能となる。
【００４０】
上述したようにすぼめ部材１５は、レバー１７の摘み部１７ｄを起こすと投光ファイバ６、受光ファイバ７の挿入又は引き抜き可能な位置（光ファイバ着脱位置）に設定され、レバー１７の摘み部１７ｄが倒されると投光ファイバ６、受光ファイバ７を固定する位置（光ファイバ固定位置）に設定される。そして、レバー１７は、光ファイバ固定位置１１において摘み部１７ｄが支持部材１６の上面に当接して突出が少なくなり他の部材と干渉し難くなる。これにより、光ファイバが外れることが有効に防止される。
【００４１】
尚、上記実施形態においては投光部と受光部とを有する光電センサに接続する投光ファイバと受光ファイバを固定する場合について説明したが、これに限るものではなく投光部又は受光部の何れか１つを有する光電センサに１本の光ファイバを固定する場合にも適用することが出来ることは勿論である。
【図面の簡単な説明】
【００４２】
【図１】本発明の一実施形態に係わる光ファイバ固定装置の組立斜視図である。
【図２】図１に示した光ファイバ固定装置のクランプ部材の正面図である。
【図３】図２に示したクランプ部材の一部切欠側面図である。
【図４】図２に示したクランプ部材の一部切欠平面図である。
【図５】図１に示した固定部材の正面図である。
【図６】図１に示した光ファイバ固定装置のホルダにすぼめ部材、支持部材及びレバーを組み付ける場合の説明図である。
【図７】図１に示した光ファイバ固定装置を組み立てた状態の斜視図を示し、光ファイバを固定する場合の説明図である。
【図８】図７に示した光ファイバ固定装置の正面図である。
【図９】図７に示した光ファイバ固定装置の一部切欠側面図である。
【図１０】図７に示した光ファイバ固定装置により光ファイバを固定した状態を示す斜視図である。
【図１１】図１０に示した光ファイバ固定装置の正面図である。
【図１２】図１０に示した光ファイバ固定装置の一部切欠側面図である。
【図１３】従来の光ファイバ固定装置の一例を示す断面図である。
【符号の説明】
【００４３】
１    ホルダ
１ａ，１ｂ    光ファイバ挿通孔
１ｃ，１ｄ    ファイバ受け部
２    投光部
３    受光部
４    ファイバ止め部材
４ａ，４ｂ    クランプ部
５    レバー
６    投光ファイバ
７    受光ファイバ
Ｐ１，Ｐ２    ピッチ
１１    光ファイバ固定装置
１２    ホルダ
１２ａ    前面
１２ｂ，１２ｃ    挿通孔
１２ｂ’    下側面（平面部）
１２ｃ’    上側面（平面部）
１２ｄ    支持部
１２ｅ    凹部
１３    ファイバ止め部材
１３ａ    周壁部
１３ａ’    下側面（平面部）
１３ｂ    スリット
１３ｃ    すぼめ部
１３ｄ    前部
１３ｅ    開口端面
１３ｆ    後部
１４    ファイバ止め部材
１４ａ’    上側面（平面部）
１４ｂ    スリット
１４ｃ    すぼめ部
１４ｄ    前部
１５    すぼめ部材
１５ａ    側部
１５ｂ    上側の側部
１５ｃ    下側の側部
１５ｃ’    上面
１５ｄ，１５ｅ    軸部
１５ｆ    挟み部
１６    支持部材
１６ａ    側部
１６ａ’    前部
１６ｂ    軸穴
１６ｃ    切欠
１７    レバー（操作部材）
１７ａ    係止部
１７ｂ    軸
１７ｃ    切欠
１７ｄ    摘み部
１８    フレーム
１８ａ    前面
１８ｂ，１８ｃ    挿通孔
１８ｄ    側部
Ｄ，ｄ    間隔
【図１】
2008020503.tif 000003
【図２】
2008020503.tif 000004
【図３】
2008020503.tif 000005
【図４】
2008020503.tif 000006
【図５】
2008020503.tif 000007
【図６】
2008020503.tif 000008
【図７】
2008020503.tif 000009
【図８】
2008020503.tif 000010
【図９】
2008020503.tif 000011
【図１０】
2008020503.tif 000012
【図１１】
2008020503.tif 000013
【図１２】
2008020503.tif 000014
【図１３】
2008020503.tif 000015